(57)【要約】【課題】  屋外で火災が発生した時に、応答性良くファンを停止し、送風路を遮断できる換気装置を提供する。【解決手段】  換気装置６は、屋内側に配置され屋内の空気を屋外に向かって吐出するファン２２と、ファン２２に対向して屋外側に配置されたフード４０とを備えている。フード４０の内側には内カバー５０が配置されている。内カバー５０はファンから吐出される空気が通る送風路５５の一部を画成する。送風路５５は、屋外に連なる排出口５６を有している。送風路５５には、異常高温時に送風路５５を閉塞するように動作する膨張材６０（遮炎手段）が配置されている。内カバー５０とフード４０との間には、異常高温を感知して上記ファン２２を停止させるサーモスタット７０（ファン停止手段）が配置されている。【選択図】  図２
2020143551.tif 000002
【特許請求の範囲】
【請求項１】
屋内側に配置され屋内の空気を屋外に向かって吐出するファンと、上記ファンに対向して屋外側に配置されたフードとを備えた換気装置において、
上記ファンから吐出される空気が通る送風路の少なくとも一部を画成する内カバーが、上記フードの内側に配置され、上記送風路は屋外に連なる排出口を有し、
上記送風路には、異常高温時に上記送風路を閉塞するように動作する遮炎手段が配置され、
上記内カバーと上記フードとの間には、異常高温を感知して上記ファンを停止させるファン停止手段が配置されていることを特徴とする換気装置。
【請求項２】
上記ファン停止手段のファン停止動作温度が、上記遮炎手段の閉塞動作温度より低いことを特徴とする請求項１に記載の換気装置。
【請求項３】
さらに、屋内と屋外を仕切る仕切壁を有する支持フレームを備え、上記支持フレームに上記ファンと上記フードと上記内カバーが取り付けられ、
上記内カバーと上記仕切壁が協働して上記送風路を画成していることを特徴とする請求項１または２に記載の換気装置。
【請求項４】
上記ファン停止手段がサーモスタットからなり、このサーモスタットは、ステーを介して内カバー外面に固定されるとともに上記フードの内面に接していることを特徴とする請求項１〜３のいずれかに記載の換気装置。
【請求項５】
上記遮炎手段が異常高温時に発泡膨張する膨張材からなり、上記膨張材が上記吐出口の近傍における上記送風路の内面に設けられていることを特徴とする請求項１〜４のいずれかに記載の換気装置。
【発明の詳細な説明】
【技術分野】
【０００１】
本発明は、屋内の空気を屋外に排出する換気装置に関する。
【背景技術】
【０００２】
特許文献１には、建物の窓開口に嵌め殺しのサッシ窓と一緒に設置された換気装置を開示されている。この換気装置は、屋内の空気を屋外へ排出するためのものであり、屋内側に配置されたファンと、屋外側に配置されたフードとを備えている。ファンから吐出された空気はフード内を通り、フードの下端に形成された排出口から屋外に排出される。
【先行技術文献】
【特許文献】
【０００３】
【特許文献１】特開２０１７−９５９６０号公報
【発明の開示】
【発明が解決しようとする課題】
【０００４】
上記換気装置において、屋外で火災が生じた時に、その火炎がフードから屋内に侵入するのを防ぐ機能が求められている。
本発明者は、異常高温時にフード内の送風路を遮断するように動作する遮炎手段を設置することを検討したが、ファンが稼働している状況では送風路を流れる屋内空気により遮炎手段の温度が上昇せず、遮炎手段の動作が遅れてしまうことが判明した。
そこで、異常高温を感知してファンへの給電を停止するファン停止手段例えばサーモスタットをフード内に設置することも検討したが、このサーモスタットも送風路を流れる屋内空気の影響を受けて、給電停止動作が遅れ、ひいては遮炎手段の動作遅れを招くことが判明した。
【課題を解決するための手段】
【０００５】
本発明は、上記課題を解決するためになされたものであり、屋内側に配置され屋内の空気を屋外に向かって吐出するファンと、上記ファンに対向して屋外側に配置されたフードとを備えた換気装置において、上記ファンから吐出される空気が通る送風路の少なくとも一部を画成する内カバーが、上記フードの内側に配置され、上記送風路は屋外に連なる排出口を有し、上記送風路には、異常高温時に上記送風路を閉塞するように動作する遮炎手段が配置され、上記内カバーと上記フードとの間には、異常高温を感知して上記ファンを停止させるファン停止手段が配置されていることを特徴とする。
上記構成によれば、ファン停止手段は内カバーとフードとの間に配置されているので、ファン稼働状況でも送風路を流れる屋内空気の影響を受けず、屋外での火災発生時に異常高温を即座に感知してファンを停止することができる。その結果、遮炎手段も送風路を流れる屋内空気の影響を受けずに、早期に送風路を閉塞することができ、火炎の侵入を防止することができる。
【０００６】
好ましくは、上記ファン停止手段のファン停止動作温度が、上記遮炎手段の閉塞動作温度より低い。
上記構成により、遮炎手段は確実かつ早期に送風路を閉塞することができる。
【０００７】
好ましくは、さらに、屋内と屋外を仕切る仕切壁を有する支持フレームを備え、上記支持フレームに上記ファンと上記フードと上記内カバーが取り付けられ、上記内カバーと上記仕切壁が協働して上記送風路を画成している。
上記構成によれば、支持フレームにより換気装置をユニット化することができるとともに、内カバーの形状を簡略化することができる。
【０００８】
好ましくは、上記ファン停止手段がサーモスタットからなり、このサーモスタットは、ステーを介して内カバー外面に固定されるとともに上記フードの内面に接している。
上記構成によれば、屋外の火災に対する応答性を高めることができる。
【０００９】
好ましくは、上記遮炎手段が異常高温時に発泡膨張する膨張材からなり、上記膨張材が上記吐出口の近傍における上記送風路の内面に設けられている。
【発明の効果】
【００１０】
本発明によれば、ファン稼働中に屋外で火災が発生した時に、屋外の異常高温を確実に感知してファンを停止し、送風路を遮断することができる。
【図面の簡単な説明】
【００１１】
【図１】本発明の一実施形態に係る換気装置をサッシ窓とともに示す縦断面図である。
【図２】上記換気装置の拡大断面図である。
【図３】上記換気装置の平断面図であり、一部構成材をハッチングで示す。
【図４】上記換気装置の背面図であり、フードを省いて示す。
【発明を実施するための形態】
【００１２】
以下、本発明の一実施形態を図面を参照しながら説明する。
図１に示すように、建物の外壁１の窓開口１ａには、換気機能付きサッシ窓装置２が嵌め込まれている。換気機能付きサッシ窓装置２は、嵌め殺しのサッシ窓５と、このサッシ窓５の上側に隣接する換気装置６とを備えている。
サッシ窓５は、サッシ枠５ａとこのサッシ枠５ａに嵌め込まれたガラス板５ｂとを有している。
【００１３】
図２〜図４に示すように、換気装置６はユニット化されており、支持フレーム１０と、屋内側に配置されたファンユニット２０と、屋内側においてファンユニット２０を覆うファンカバー３０と、屋外側に配置されたフード４０と、屋外側においてフード４０の内側に配置された内カバー５０とを、主たる構成要素として備えている。ファンユニット２０とファンカバー３０とフード４０と内カバー５０は、後述するように支持フレーム１０に取り付けられている。
【００１４】
図１に示すように、支持フレーム１０の下縁部がサッシ窓５の枠部５ａの上縁部に連結され、支持フレーム１０の上縁部および左右縁部が窓開口１ａの上縁部および左右縁部にそれぞれ固定されている。
【００１５】
支持フレーム１０は、垂直に起立して屋内と屋外を仕切る仕切壁１１を有している。この仕切壁１１に、上記ファンユニット２０が固定されている。図３に示すように、ファンユニット２０は、中央に駆動部２１を有し、その左右に一対のファン２２を有している。駆動部２１はモータと給電回路を内蔵している。一対のファン２２は、駆動部２１とは反対側の側面に吸込部２２ａを有し、その屋外側に吐出部２２ｂを有している。
【００１６】
一対のファン２２の吐出部２２ｂは、上記仕切壁１１に形成された開口（図示しない）に挿入されて仕切壁１１から屋外側に突出している。これら吐出部２２ｂには、開閉板２３がそれぞれ取り付けられている。この開閉板２３は、ファン２２が稼働している時にはその風圧により開いており、ファン２２が停止している時には、自重により閉じるようになっている。
【００１７】
上記支持フレーム１０の屋内側には、上記ファンカバー３０も取り付けられている。このファンカバー３０は，上板３１と、正面板３２と、側板３３とを互いに連結することにより形成されており、ファンユニット２０を囲っている。上板３１の屋外側の縁部が支持フレーム１０に連結され、正面板３２の下縁部が連結部材３４を介して支持フレーム１０の下縁部に連結されている。
正面板３２は段部３２ａを有しており、この段部３２ａには通気口３２ｘが形成されるとともに、この通気口３２ｘを覆う網またはフィルタ３５が設置されている。
【００１８】
上記フード４０は、ファンユニット２０に対向して屋外側に配置されている。フード４０は、主板４１と、この主板４１の左右両側を塞ぐ側板４２とを有している。主板４１は、垂直に起立する起立壁４１ａと、起立壁４１ａの下縁から屋内側に向かって延びる上壁４１ｂと、起立壁４１ａの下縁から、屋内側に向かって延びる底壁４１ｃとを有している。上壁４１ｂと底壁４１ｃが支持フレーム１０の仕切壁１１に連結されている。
底壁４１ｃには、開口４１ｘが多数形成されている。フード４０の内部空間４５は、下端の開口４１ｘを介して屋外に連なっている。
【００１９】
フード４０の内側には上記内カバー５０が配置されている。内カバー５０は、フレーム１０の仕切壁１１およびフード４０の起立壁４１ａと平行をなして離間対向する起立壁５１と、フード４０の上壁４１ｂと離間対向する上壁５２と、左右の側板４２と離間対向する左右の側壁５３とを有している。側壁５３には鍔部５３ａが形成されており、この鍔部５３ａを支持フレーム１０の仕切壁１１の屋外側の面に固定することにより、内カバー５０が仕切壁１１に取り付けられている。
【００２０】
内カバー５０は、一対のファン２２の吐出部２２ｂとフード４０とを隔離しており、仕切壁１１と協働して送風路５５を画成している。この送風路５５は、下端の排出口５６およびフード４０の開口４１ｘを介して屋外に連なっている。
【００２１】
図２に示すように、上記送風路５５の排出口５６近傍の内面（本実施形態では、内カバー５０の内面と仕切壁１１の屋外側の面）には、異常高温時に発泡膨張する膨張材６０（遮炎手段）が設けられている。
【００２２】
フード４０と内カバー５０との間の空間、例えばフード４０の起立壁４１ａと内カバー５０の起立壁５１との間の間隙には、サーモスタット７０（ファン停止手段）が配置されている。本実施形態では、サーモスタット７０は、ステー７１を介して内カバー５０の起立壁５１の屋外側の面に固定されるとともに、フード４０の起立壁４１ａの屋内側の面に接している。
【００２３】
サーモスタット７０は、コード７２を介してファンユニット２０の駆動部２１の給電回路に接続されており、異常高温時に開いてモータ２１への給電を停止し、一対のファン２２の稼働を停止させるようになっている。
サーモスタット７０のファン停止動作温度は約７０℃であり、上述した膨張材６０の閉塞動作温度（発泡膨張開始温度）の約１５０℃より低い。
【００２４】
上記のように構成された換気機能付きサッシ窓装置１の作用を説明する。ファンユニット２０は常時稼働しており、これにより屋内の汚れた空気を屋外に強制排気し、建物の別の場所に設置した吸気口から新鮮な屋外の空気を屋内に取り込むようになっている。
【００２５】
換気装置６内での空気の流れを簡単に説明する。図１、図２に示すように、屋内の空気は、ファンカバー３０の通気口３２ｘからファンカバー３０内に入り、一対のファン２２の吸込部２２ａに吸い込まれて吐出部２２ｂから吐出される。吐出された空気は、内カバー５０と仕切壁１１間の送風路５５を流れて排出口５６から屋外へ排出される。
【００２６】
屋外で火災が発生し、フード４０の近傍が異常高温になった時には、サーモスタット７０が動作温度７０℃を感知して給電回路を開くため、ファン２２の稼働を停止させることができる。サーモスタット７０は、フード４０と内カバー５０との間に配置されており、ファン２２から吐出されて送風路５５を流れる屋内空気の影響を受けないので、フード４０近傍の異常高温に即座に応答してファン２２を停止させることができる。特に本実施形態では、サーモスタット７０が内カバー５０から離れフード４０に接しているので、異常高温に対する応答性を最大限に発揮することができる。
【００２７】
火災が迫ってきてフード４０の近傍の温度がさらに上昇し、膨張材６０の動作温度１５０℃に達した時には、膨張材６０が膨張して、送風路５５、本実施形態では排出口５６を閉じることができる。その結果、火炎が排出口５６から屋内に入り込むのを阻止することができる。上述したように、ファン２２が既に停止しているので、膨張材６０は送風路５５内の空気流の影響を受けずに、確実にフード近傍４０の異常高温に応答して送風路５５を遮断することができる。
【００２８】
上記のようにファン２２を早期に停止することにより、次の効果も得られる。すなわち、ファン２２が稼働を続けると、排出口５６から排出された空気によってサッシ窓５の枠部５ａの上縁部だけが冷やされ、枠部５ｂの他の部分が火炎によって高温になり、温度むらが生じる。そのため、枠部５ａの変形を招き、枠部５ａと窓開口１ａの隙間から火炎が侵入する可能性がある。しかし、ファン２２を早期に停止できるので、枠部５ａの温度むらに起因する変形を防止でき、火炎の侵入を防止できる。
【００２９】
本発明は、上記実施の形態に限定されるものではなく、その要旨を逸脱しない範囲において種々の変形例を採用することができる。
内カバーをボックス形状にして内カバー単独で送風路を画成してもよい。
フードが送風路の一部を画成してもよい。
遮炎手段は、遮炎板と、遮炎板を閉じ方向に付勢するスプリングと、遮炎板を開き状態に維持するヒューズとで構成してもよい。この構成では、異常高温時にヒューズが溶けて送風路を閉じる。
ファン停止手段は、ヒューズであってもよい。異常高温時にこのヒューズが溶けてファンの給電回路を開く。
【産業上の利用可能性】
【００３０】
本発明は、屋内にファンを配置し、屋外にフードを配置した換気装置に適用することができる。
【符号の説明】
【００３１】
６  換気装置
１０  支持フレーム
１１  仕切壁
２０  ファンユニット
２２  ファン
２２ａ  吸込部
２２ｂ  吐出部
４０  フード
４１ｘ  開口
５０  内カバー
５５  送風路
５６  排出口
６０  膨張材（遮炎手段）
７０  サーモスタット（ファン停止手段）
【図１】
2020143551.tif 000003
【図２】
2020143551.tif 000004
【図３】
2020143551.tif 000005
【図４】
2020143551.tif 000006